(57)【要約】【課題】  施工の省力化に加えて、ユニットバスルームにおけるトータル的な薄壁化を図り得る天井パネルと壁パネルの連結構造を提供する。【解決手段】  天井パネル１と、複数の壁パネル２と、パネル接続材３とを使用して形成される天井パネルと壁パネルの連結構造において、パネル接続材３が、Ｌ字切欠部５と、横溝部７とを具備する略柱状形状８を有し、且つ、天井パネル１と壁パネル２との境界上に介在し得る廻し縁部９を備えるので、天井パネル１と壁パネル２との境界近傍の美観を確保し得る一方、ネジ止め、ビス止め等が不要であるため、ユニットバスルーム１７におけるトータル的な薄壁化をも図り得ることとなる。【選択図】図１
2005307618.tif 000002
【特許請求の範囲】
【請求項１】
天井パネルと、複数の壁パネルと、前記天井パネルと前記壁パネルとを相互に結合するパネル接続材とを使用して形成される天井パネルと壁パネルの連結構造であって、前記パネル接続材が、前記壁パネルの内側上端コーナー部に当接、固定し得るＬ字切欠部と、前記天井パネルの側端部を嵌入、把持する横溝部とを具備する略柱状形状を有し、且つ、前記天井パネルと前記壁パネルとの境界上に介在し得る廻し縁部を備えることを特徴とする天井パネルと壁パネルの連結構造。
【請求項２】
前記壁パネルの上端面と、これに当接する前記Ｌ字切欠部の底面とに、相互に嵌合可能な凹凸嵌合部を形成し、前記パネル接続材を、前記壁パネルの内側上端コーナー部に当接、固定せしめることを特徴とする請求項１記載の天井パネルと壁パネルの連結構造。
【発明の詳細な説明】
【技術分野】
【０００１】
本発明は、ユニットバスルームにおける天井パネルと壁パネルの連結構造に関するものである。
【背景技術】
【０００２】
従来より、ユニットバスルーム１７における天井廻し縁１８と壁パネル２との接合構造として、例えば、図３に示すように、壁パネル２のフレーム２２の上部に形成した立ち上がり片２３と天井パネル１のフレーム２４からの垂下片２５とを取付ネジ１４で固定するとともに、壁パネル２の係合凹部２６に天井廻し縁１８を打ち込み固定したものが知られている。そして、上記天井廻し縁１８は、その上下両端がヒレ１９、２０を有する形状のものであり、材質は軟質塩化ビニル系のものを使用しているが、これを天井パネル１と壁パネル２との間に打ち込んで上下両端のヒレ１９、２０を天井パネル１と壁パネル２の夫々の端面に圧接させることにより止水するものである。
【０００３】
ところが、かかる従来の天井パネル１と壁パネル２との接合部については、以下のような問題点が指摘されていた。すなわち、天井廻し縁１８を天井パネル１と壁パネル２との間に打ち込む際には、強い反発力を受けることとなり、また、軟質塩化ビニル系の天井廻し縁１８は周囲の温度により材質硬度が変化する性質があるため、一層、打ち込み難いものとなる。これに加えて、止水用のヒレ１９、２０が上下両端に設けられているため、天井廻し縁１８の下端部が波打ち込み易く、作業者の熟練度によって仕上がり精度に差が生じ易い。さらには、天井パネル１と壁パネル２との間に一定のクリアランスを確保する必要があるため、天井ビス止め箇所が多くなり、施工に手間がかかる等である。
【０００４】
一方、本願出願人においても、かかる問題点に対応するため、既に、特開平６−１４６５６６号公報（特許文献１）等において、施工精度の向上と施工の省力化を図った天井廻し縁の取付構造を開示している。
【０００５】
他方、ユニットバスルーム用途における天井パネルと壁パネルとの取付構造においては、施工のさらなる省力化に加えて、ユニットバスルームにおける壁パネルの厚みを含めたトータル的な薄壁化が重要な解決課題となっている。この点、上記特許文献１に開示した取付構造においても、なお、かかるユニットバスルームの薄壁化等の観点からは、さらなる改良の余地を残すものであった。
【特許文献１】特開２００３−２１３８６０号公報
【発明の開示】
【発明が解決しようとする課題】
【０００６】
本発明は、上記背景技術に鑑みて発明されたものであり、その課題は、施工の省力化に加えて、ユニットバスルームにおけるトータル的な薄壁化をも図り得る天井パネルと壁パネルの連結構造を提供することである。
【課題を解決するための手段】
【０００７】
上記課題を解決するために、請求項１に係る発明の天井パネルと壁パネルの連結構造にあっては、天井パネルと、複数の壁パネルと、前記天井パネルと前記壁パネルとを相互に結合するパネル接続材とを使用して形成される天井パネルと壁パネルの連結構造であって、前記パネル接続材が、前記壁パネルの内側上端コーナー部に当接、固定し得るＬ字切欠部と、前記天井パネルの側端部を嵌入、把持する横溝部とを具備する略柱状形状を有し、且つ、前記天井パネルと前記壁パネルとの境界上に介在し得る廻し縁部を備えることを特徴とするものである。
【０００８】
請求項２に係る発明の天井パネルと壁パネルの連結構造にあっては、請求項１記載の天井パネルと壁パネルの連結構造において、前記壁パネルの上端面と、これに当接する前記Ｌ字切欠部の底面とに、相互に嵌合可能な凹凸嵌合部を形成し、前記パネル接続材を、前記壁パネルの内側上端コーナー部に当接、固定せしめることを特徴とするものである。
【発明の効果】
【０００９】
本発明の天井パネルと壁パネルの連結構造では、天井パネルと、複数の壁パネルと、前記天井パネルと前記壁パネルとを相互に結合するパネル接続材とを使用して形成される天井パネルと壁パネルの連結構造であって、前記パネル接続材が、前記壁パネルの内側上端コーナー部に当接、固定し得るＬ字切欠部と、前記天井パネルの側端部を嵌入、把持する横溝部とを具備する略柱状形状を有し、且つ、前記天井パネルと前記壁パネルとの境界上に介在し得る廻し縁部を備えるので、天井パネルと壁パネルとの境界近傍の美観を確保し得る一方、ネジ止め、ビス止め等が不要であるため、ユニットバスルームにおけるトータル的な薄壁化をも図り得ることとなる。
【発明を実施するための最良の形態】
【００１０】
以下、本発明の実施形態を図面に基づき説明する。なお、本発明の天井パネルと壁パネルの連結構造は、下記の実施形態にのみ限定されるものではなく、本発明の要旨を逸脱しない範囲内において種々変更を加え得ることは勿論である。ここで、図１は、本発明の一実施形態である天井パネルと壁パネルの連結構造の概略を模式的に示す断面図であり、一方、図２は、本発明のさらに異なる実施形態である天井パネルと壁パネルの連結構造の概略を模式的に示す断面図である。
【００１１】
すなわち、本実施形態の天井パネルと壁パネルの連結構造は、図１に示すように、ユニットバスルーム１７に係るものであって、天井パネル１と、複数の壁パネル２と、前記天井パネル１と壁パネル２とを相互に結合するパネル接続材３とを使用して形成されるものである。さらに、本実施形態の天井パネルと壁パネルの連結構造においては、パネル接続材３が、壁パネル２の内側上端コーナー部４に当接、固定し得るＬ字切欠部５と、天井パネル１の側端部６を嵌入、把持する横溝部７とを具備する略柱状形状８を有し、且つ、天井パネル１と壁パネル２との境界上に介在し得る廻し縁部９を備えるものである。これに加えて、本実施形態の天井パネルと壁パネルの連結構造においては、壁パネル２の上端面１０と、これに当接する前記Ｌ字切欠部５の底面１１とに、相互に嵌合可能な凹凸嵌合部１２（ここでは、壁パネル側凸部１２ａ、天井パネル側凹部１２ｂ）を形成し、前記パネル接続材３を壁パネル２の内側上端コーナー部４に当接、固定せしめるというものである。
【００１２】
かかる本実施形態の天井パネルと壁パネルの連結構造によれば、パネル接続材３が、壁パネル２の内側上端コーナー部４に当接、固定し得るＬ字切欠部５と、天井パネル１の側端部６を嵌入、把持する横溝部７とを具備する略柱状形状８を有し、壁パネル２の内側上端コーナー部４にＬ字切欠部５を当接、固定するので、ネジ止め、ビス止め等が不要となるため、上記図３に示した従来例と異なり、壁パネル２の背面１３側に取付ネジ１４が突出することがなく、実質的にユニットバスルーム１７における薄壁化をも図り得ることとなる。
【００１３】
すなわち、ユニットバスルーム１７において、壁パネル２の連結構造形成に必要な横幅（水平距離）をも考慮して、実質的に壁厚に加算されるべき最小の距離（Ｄ）に着目した場合、本実施形態における当該距離（Ｄ１）については、ネジ止め、ビス止め等が不要であり、上記従来例と異なり、壁パネル２の背面１３側に取付ネジ１４等が突出することがないので、壁パネル２の内面１５から背面１３までの距離（図１参照）と評価し得るのに対し、上記従来例（図３参照）における当該距離（Ｄ０）は、壁パネル２の内面１５から背面１３側に突出した取付ネジ１４の先端部１６までの距離（図３参照）と評価し得るので、本実施形態の天井パネルと壁パネルの連結構造によれば、ネジ止め、ビス止め等が不要であるため、ユニットバスルーム１７におけるトータル的な薄壁化をも図り得ることとなる。
【００１４】
本実施形態におけるネジ止め、ビス止め等を使用しない天井パネルと壁パネルの連結構造は、具体的には、例えば、図１に示すように、壁パネル２の上端面１０と、これに当接する前記Ｌ字切欠部５の底面１１とに、相互に嵌合可能な凹凸嵌合部１２（ここでは、壁パネル側凸部１２ａ、天井パネル側凹部１２ｂ）を形成し、前記パネル接続材３を、壁パネル２の内側上端コーナー部４に当接、固定せしめることにより実現できるが、上記凹凸嵌合部１２の嵌合の形態については、図１に示す壁パネル側凸部１２ａ、天井パネル側凹部１２ｂを形成するものにのみ限定されず、例えば、図２に示すように、壁パネル側凹部１２ｃ、天井パネル側凸部１２ｄを形成するような実施形態も可能でもあり、特に制限されない（この場合の上記距離Ｄ（すなわち、Ｄ２）は、上記図１に示した実施形態におけるＤ１と同じで、壁パネル２の内面１５から背面１３までの距離と評価し得ることとなる。）。
【００１５】
さらに、本実施形態の天井パネルと壁パネルの連結構造によれば、天井パネル１と壁パネル２との境界上に介在し得る廻し縁部９を備えるので、天井パネル１と壁パネル２との境界近傍の美観を確保し得ることは勿論である。
【００１６】
このように、本発明の天井パネルと壁パネルの連結構造では、天井パネル１と、複数の壁パネル２と、前記天井パネル１と前記壁パネル２とを相互に結合するパネル接続材３とを使用して形成される天井パネルと壁パネルの連結構造において、パネル接続材３が、壁パネル２の内側上端コーナー部４に当接、固定し得るＬ字切欠部５と、天井パネル１の側端部６を嵌入、把持する横溝部７とを具備する略柱状形状８を有し、且つ、天井パネル１と壁パネル２との境界上に介在し得る廻し縁部９を備えるので、天井パネル１と壁パネル２との境界近傍の美観を確保し得る一方、ネジ止め、ビス止め等が不要であるため、ユニットバスルーム１７におけるトータル的な薄壁化をも図り得ることとなる。
【００１７】
さらに、本発明の天井パネルと壁パネルの連結構造においては、壁パネル２の上端面１０と、これに当接する前記Ｌ字切欠部５の底面１１とに、相互に嵌合可能な凹凸嵌合部１２を形成し、パネル接続材３を、壁パネル２の内側上端コーナー部４に当接、固定せしめるので、ビス止め等が不要となり、施工工数のさらなる低減による一層の省力化に寄与し得ることとなる。
【図面の簡単な説明】
【００１８】
【図１】本発明の一実施形態である天井パネルと壁パネルの連結構造の概略を模式的に示す断面図である。
【図２】本発明のさらに異なる実施形態である天井パネルと壁パネルの連結構造の概略を模式的に示す断面図である。
【図３】従来例に係る天井パネルと壁パネルの連結構造の概略を模式的に示す断面図である。
【符号の説明】
【００１９】
１    天井パネル
２    壁パネル
３    パネル接続材
４    内側上端コーナー部（壁パネル２）
５    Ｌ字切欠部（パネル接続材３）
６    側端部（天井パネル１）
７    横溝部（パネル接続材３）
８    略柱状形状（パネル接続材３）
９    廻し縁部（パネル接続材３）
１０    上端面（壁パネル２）
１１    底面（Ｌ字切欠部５）
１２    凹凸嵌合部
１２ａ  壁パネル側凸部
１２ｂ  天井パネル側凹部
１２ｃ  壁パネル側凹部
１２ｄ  天井パネル側凸部
１３    背面（壁パネル２）
１４    取付ネジ（従来例）
１５    内面（壁パネル２）
１６    先端部（取付ネジ１４）
１７    ユニットバスルーム
１８    天井廻し縁
１９    ヒレ（天井廻し縁１８）
２０    ヒレ（天井廻し縁１８）
２１    頭部（取付ネジ１４）
２２    フレーム（壁パネル２）
２３    立ち上がり片（壁パネル２）
２４    フレーム（天井パネル１）
２５    垂下片（フレーム２４）
２６    係合凹部（壁パネル２）
【図１】
2005307618.tif 000003
【図２】
2005307618.tif 000004
【図３】
2005307618.tif 000005